(57)【要約】【課題】  ＨＤＤ及びそれに備えられたカバー部材を提供する。【解決手段】  ＨＤＤ１００は，相互結合されたベース部材１０２とカバー部材１０３とよりなるハウジング１０１と，上記ベース部材１０２上に設置されるスピンドルモータ１２０と，上記スピンドルモータ１２０に装着されて上記ベース部材１０２に対して回転するディスク１１５と，上記ベース部材１０２上に回動自在に設置され，上記ディスク１１５に／からデータを記録／再生するための磁気ヘッド１４５を搭載したスライダー１４０をその端部に付着支持するアクチュエータ１３０と，を備え，さらに，上記ディスク１１５の回転によって発生するエアフローをディスク１１５の外周方向に誘導するために，上記ベース部材１０２またはカバー部材１０３のディスク対向面に突出したブレード１０５，１０８，１１１を備える。【選択図】    図２
2005235376.tif 000002
【特許請求の範囲】
【請求項１】
相互結合されたベース部材とカバー部材とよりなるハウジングと，前記ベース部材上に設置されるスピンドルモータと，前記スピンドルモータに装着されて前記ベース部材に対して回転するディスクと，前記ベースプレート上に回動自在に設置され，前記ディスクに/からデータを記録/再生するための磁気ヘッドを搭載したスライダーをその端部に付着支持するアクチュエータと，を備えるハードディスクドライブであって：
前記ディスクの回転によって発生するエアフローをディスクの外周方向に誘導するために，前記ベース部材またはカバー部材の少なくともいずれかにディスク対向面に突出したブレードが備えられたことを特徴とするハードディスクドライブ。
【請求項２】
前記ディスクの中心部に隣接した前記ブレードの一側端部とディスク外周部に隣接したブレードの他側端部とを連結する仮想の直線は，
ディスクの半径方向の仮想の直線に対して，ディスクの回転方向に所定角度傾いたことを特徴とする請求項１に記載のハードディスクドライブ。
【請求項３】
前記角度は，鈍角であることを特徴とする請求項２に記載のハードディスクドライブ。
【請求項４】
前記角度は，鋭角であることを特徴とする請求項２に記載のハードディスクドライブ。
【請求項５】
前記ブレードは，
前記ディスクの中心部に隣接した一側端部からディスク外周部に隣接した他側端部へ行くほどディスクの回転方向に傾いた螺旋形であることを特徴とする請求項１〜４のいずれか一項に記載のハードディスクドライブ。
【請求項６】
前記ディスクの回転によって発生するエアフローに対面する前記ブレードの側面は，
前記エアフローをディスクの表面方向に誘導するように傾いたことを特徴とする請求項１〜５のいずれか一項に記載のハードディスクドライブ。
【請求項７】
前記ブレードは，
前記ディスクの回転によって発生してアクチュエータに向かうエアフローを遮断するようにアクチュエータの前に位置することを特徴とする請求項１〜６のいずれか一項に記載のハードディスクドライブ。
【請求項８】
前記ディスクの外側に循環フィルタを備え，
前記ディスクの回転によって発生するエアフローが前記循環フィルタに向かうように，前記ディスクの外周部に隣接したブレードの端部が前記循環フィルタの前に位置することを特徴とする請求項１〜７のいずれか一項に記載のハードディスクドライブ。
【請求項９】
前記ブレードは，略同一形態に複数設けられ，
前記複数のブレードは，
等角度間隔に備えられることを特徴とする請求項１〜８のいずれか一項に記載のハードディスクドライブ。
【請求項１０】
アクチュエータが連結されたベース部材に結合されるハードディスクドライブのカバー部材であって：
前記カバー部材は；
ディスクの回転によって発生するエアフローをディスクの外周方向に誘導するために，前記ディスクに向かって曲線状に傾いた複数のブレードを備え，
前記複数のブレードのいずれかは；
前記アクチュエータの振動が抑制されるように前記アクチュエータの作動範囲に隣接して，その上流に位置することを特徴とするカバー部材。
【発明の詳細な説明】
【技術分野】
【０００１】
本発明は，ハードディスクドライブ（ＨＤＤ：Ｈａｒｄ  Ｄｉｓｃ  Ｄｒｉｖｅ）に係り，さらに詳細には，作動時の振動を減らすための振動低減手段が備えられたＨＤＤに関する。
【背景技術】
【０００２】
ＨＤＤは，コンピュータの補助記憶装置のうち一つであって，磁気ヘッドによって磁気ディスクに／から情報を記録／再生する装置である。このようなＨＤＤは，最近，高速化，高容量化及び低振動化しつつあり，そのような要求に応じるために多様な研究開発が進められている。
【０００３】
図１には，従来のＨＤＤの一例が示されているが，これを参照すれば，ＨＤＤ１０は，データの記録媒体であるディスク１５と，ベース部材１１上に設置されてディスク１５を回転させるスピンドルモータ２０と，ディスク１５に／からデータを記録／再生するための磁気ヘッド４５を支持するアクチュエータ３０と，上記ベース部材１１と締結されて上記ベース部材１１上の構成要素１５，２０，３０を保護するカバー１２と，を備える。
【０００４】
上記ディスク１５は，ベース部材１１に対して回転可能に上記スピンドルモータ２０の回転子に固設され，ディスク１５の表面には，記録されるデータの位置を知らせるサーボ信号がディスク１５の円周に沿って形成された数万個のトラックにあらかじめ記録されている。
【０００５】
上記アクチュエータ３０は，ボイスコイルモータ（Ｖｏｉｃｅ  Ｃｏｉｌ  Ｍｏｔｏｒ：ＶＣＭ）３２によってベース部材１１上に設置されたピボット軸受３３を中心に回動自在になっている。アクチュエータ３０は，ピボット軸受３３に回動自在に結合されたアーム３５と，このアーム３５に設置されて磁気ヘッド４５が搭載されたスライダー４０をディスク１５の表面側に付勢されるように支持するＨＧＡ（Ｈｅａｄ  Ｇｉｍｂａｌ  Ａｓｓｅｍｂｌｙ）３７と，を備える。
【０００６】
ＨＤＤ１０の電源がオンとなってディスク１５が回転し始めれば，空気圧による揚力が発生し，これにより，スライダー４０は，ディスク１５の表面上でディスク１５の回転による揚力とＨＧＡ３７による弾性力とが平衡をなす高さで浮き上げられた状態を維持する。これにより，スライダー４０に搭載された磁気ヘッド４５は，回転するディスク１５と一定の間隔を維持しつつ，ディスク１５に／からデータを記録／再生する。
【０００７】
このような構成の従来のＨＤＤ１０において，スピンドルモータ２０の構造的な特性やその欠陥，ディスク１５の組立て偏向，ＨＤＤ１０内の不規則なエアフローによって振動が発生する。このような振動は，磁気ヘッド４５のＰＥＳ（Ｐｏｓｉｔｉｏｎ  Ｅｒｒｏｒ  Ｓｉｇｎａｌ）特性及び記録／再生エラー特性に悪影響を及ぼし，ノイズを増加させてＨＤＤ性能の信頼性を劣らせる。
【０００８】
近年，ＨＤＤのスピンドルモータ２０の内部に流体動圧軸受を適用することにより，以前のボール軸受を適用したスピンドルモータに比べて，構造自体に起因した振動特性は大きく向上した。これにより，７２００ｒｐｍ以上にディスク１５を高速回転させることが可能になった。
【発明の開示】
【発明が解決しようとする課題】
【０００９】
この結果，高速回転するディスク１５によって矢印Ｄで表示されたディスクの回転方向と同じ方向に回転するエアフローが，ディスク１５，アクチュエータ３０，及びＨＤＤ１０全体の振動を発生させる主要因子となった。
【００１０】
したがって，現在においては，矢印Ｄ方向に回転するエアフローを制御することが，ディスク１５，アクチュエータ３０，及びＨＤＤ１０の振動を減少させてＨＤＤ性能の信頼性を向上させるために強く要請されている。
【００１１】
そこで，本発明は，このような問題に鑑みてなされたもので，その目的とするところは，ディスクの回転によって発生したエアフローをディスクの外周部に誘導する手段を備えて，作動時の振動が減少する，新規かつ改良されたＨＤＤを提供することにある。
【課題を解決するための手段】
【００１２】
上記課題の少なくとも一つを解決するために，本発明のある観点によれば，相互結合されたベース部材とカバー部材とよりなるハウジングと，上記ベース部材上に設置されるスピンドルモータと，上記スピンドルモータに装着されて上記ベース部材に対して回転するディスクと，上記ベースプレート上に回動自在に設置され，上記ディスクに/からデータを記録/再生するための磁気ヘッドを搭載したスライダーをその端部に付着支持するアクチュエータと，を備えるハードディスクドライブであって，上記ディスクの回転によって発生するエアフローをディスクの外周方向に誘導するために，上記ベース部材またはカバー部材の少なくともいずれかにディスク対向面に突出したブレードが備えられたことを特徴とするハードディスクドライブが提供される。
【００１３】
上記ディスクの中心部に隣接した上記ブレードの一側端部とディスク外周部に隣接したブレードの他側端部とを連結する仮想の直線は，ディスクの半径方向の仮想の直線に対して，ディスクの回転方向に所定角度傾いて設けられていてもよい。
【００１４】
この時，上記角度は，鈍角であってもよい。また，上記角度は，鋭角であってもよい。
【００１５】
また，上記ブレードは，上記ディスクの中心部に隣接した一側端部からディスク外周部に隣接した他側端部へ行くほどディスクの回転方向に傾いた螺旋形であってもよい。
【００１６】
また，上記ディスクの回転によって発生するエアフローに対面する上記ブレードの側面は，上記エアフローをディスクの表面方向に誘導するように傾いて設けられていてもよい。
【００１７】
また，上記ブレードは，上記ディスクの回転によって発生してアクチュエータに向かうエアフローを遮断するようにアクチュエータの前に位置していてもよい。
【００１８】
また，上記ディスクの外側に循環フィルタを備え，上記ディスクの回転によって発生するエアフローが上記循環フィルタに向かうように，上記ディスクの外周部に隣接したブレードの端部が上記循環フィルタの前に位置していてもよい。
【００１９】
また，上記ブレードは，略同一形態に複数設けられ，上記複数のブレードは，最適化された任意の角度間隔で（等角度間隔に）備えられていてもよい。
【００２０】
また，本発明の他の観点によれば，アクチュエータが連結されたベース部材に結合されるハードディスクドライブのカバー部材であって，上記カバー部材は，ディスクの回転によって発生するエアフローをディスクの外周方向に誘導するために，上記ディスクに向かって曲線状に傾いた複数のブレードを備え，上記複数のブレードのいずれかは，上記アクチュエータの振動が抑制されるように上記アクチュエータの作動範囲に隣接して，その上流に位置することを特徴とするカバー部材が提供される。
【発明の効果】
【００２１】
本発明によれば，ブレードによってエアフローがディスク外周部にポンピングされてディスクの振動が減少しうるＨＤＤを提供することができる。
【発明を実施するための最良の形態】
【００２２】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２３】
（第１実施形態）
図２は，本発明の第１実施形態にかかるＨＤＤを示す斜視図であり，図３は，図２に示されたカバー部材の底面図であり，図４は，図３に示されたブレードの縦断面図である。上記図面を参照すれば，本発明の第１実施形態によるＨＤＤ１００は，所定の内部空間を有するハウジング１０１を備え，このハウジング１０１内にスピンドルモータ１２０，ディスク１１５，アクチュエータ１３０，及び循環フィルタ１５０を備える。
【００２４】
上記ハウジング１０１は，上記スピンドルモータ１２０とアクチュエータ１３０とを支持するベース部材１０２と，上記ベース部材１０２の上部に結合されてディスク１１５を保護するカバー部材１０３とにより構成される。このようなハウジング１０１は，通常，ステンレススチールまたはアルミニウム材質で製作される。
【００２５】
上記ハウジング１０１の内部には，ディスク１１５が設置される。従来においては，データの保存容量を増加させるために，ＨＤＤに４個またはそれ以上のディスクを設置することもあったが，最近は，ディスクの面記録密度が急増して一つまたは二つのディスクのみでも十分な容量のデータを保存可能になった。したがって，最近は，一つまたは二つのディスクのみを有するＨＤＤが主流となっている。図２に示された本発明の第１実施形態にかかるＨＤＤは，一つのディスクを備えているが，本発明の技術的思想は，二つ以上のディスクを有するＨＤＤにも当然に適用されうる。
【００２６】
上記スピンドルモータ１２０は，ディスク１１５を回転させるためのものであって，ベース部材１０２に固設される。上記スピンドルモータ１２０の上部には，ディスク１１５の離脱を防止するためのディスククランプ１２５が結合される。
【００２７】
上記アクチュエータ１３０は，データの記録及び再生のための磁気ヘッド１４５を上記ディスク１１５上の所定位置に移動させるためのものであって，アーム１３７と，ＨＧＡ１３８と，ＶＣＭ（ボイスコイルモータ）１３５とを有する。上記アーム１３７は，ベース部材１０２に設置されたピボット軸受１３２に回転可能に結合される。上記ＨＧＡ１３８は，アーム１３７の端部に結合されており，上記磁気ヘッド１４５が搭載されたスライダー１４０をディスク１１５の表面側に付勢されるように支持する。上記ＶＣＭ１３５は，上記アーム１３７を回転させるための駆動力を提供するものであって，サーボ制御システムによって制御され，ＶＣＭコイルに入力される電流とマグネットによって形成された磁場との相互作用によって，フレミングの左手法則による方向に上記アーム１３７を回転させる。
【００２８】
これにより，上記ＨＧＡ１３８の端部に付着されたスライダー１４０がディスク１１５上で，スピンドルモータ１２０に向かう方向である矢印Ａ方向や，ディスク１１５の外周に向かう方向である矢印Ｂ方向に移動する。
【００２９】
図２に示された本実施形態のＨＤＤ１００は，ディスク１１５の上面及び下面にデータが記録されうる。これにより，上記ＨＤＤ１００は，アーム１３７，ＨＧＡ１３８，スライダー１４０，及び磁気ヘッド１４５をディスク１１５の上側及び下側を一対として備えているが，ディスク１１５の下側のＨＧＡ，スライダー，及び磁気ヘッドは，上記ディスク１１５に遮られて図示されていない。
【００３０】
上記循環フィルタ１５０は，ＨＤＤ１００の内部から発生するパーチクルやガスのような異物を捕集して除去するためのものであって，カバー部材１０３の内面に着脱自在に結合される。上記循環フィルタ１５０は，ディスク１１５の外側に位置して，上記ディスク１１５の回転によって発生したＨＤＤ１００の内部のエアフローと共に流れるパーチクルのような異物をフィルタリングする。
【００３１】
そして，本実施形態にかかるＨＤＤ１００のカバー部材１０３には，ハウジング１０１の内部のエアフローを制御するための第１ブレード１０５，第２ブレード１０８，第３ブレード１１１が備えられている。第１ブレード１０５，第２ブレード１０８，第３ブレード１１１は，カバー部材１０３のディスク１１５の対向面である内側面からディスク１１５側に突設され，アクチュエータ１３０の動作が妨害されないようにアクチュエータの動作範囲１０４を除外した領域に形成される。
【００３２】
図３に示されたように，上記第１ブレード１０５において，ディスク１１５の回転中心部に隣接した一側端部１０５ａとディスク１１５の外周部に隣接した他側端部１０５ｂとを連結する仮想の直線Ｌ１は，ディスク１１５の中心部から半径方向に延びた仮想の直線Ｌ２に対して，ディスクの回転方向Ｄに所定角度α１に傾いて形成され，このような特性は，第２及び第３ブレード１０８，１１１においても同様である。
【００３３】
また，第１ブレード１０５，第２ブレード１０８，第３ブレード１１１は，ディスク１１５の回転中心部に隣接した一側端部１０５ａ，１０８ａ，１１１ａからディスク１１５の外周部に隣接した他側端部１０５ｂ，１０８ｂ，１１１ｂへ行くほどディスクの回転方向Ｄにさらに傾いた螺旋状に形成される。
【００３４】
このような構成によってディスク１１５が回転すれば，ディスク１１５とカバー部材１０３との間の空気は，図３に点線よりなる矢印で表したように，ディスクの回転方向Ｄと同じ方向に回転すると同時に，ディスク１１５の外周部側にポンピングされる。これにより，ディスク１１５とカバー部材１０３との間の空気の圧力は，ディスク１１５の中心部から外周部側へ行くほど次第に高まり，ディスク１１５の外周部が高まった空気圧によって加圧されてディスクフラッタリングのような振動が減衰される。
【００３５】
一方，上記第２ブレード１０８は，ディスク回転方向Ｄと同じ方向に回転するエアフローが循環フィルタ１５０に向かうように，ディスク１１５の外周部に隣接した端部１０８ｂが循環フィルタ１５０の前に位置する。これにより，上記エアフローは，第２ブレードの上記端部１０８ｂとカバー部材のフランジ１０３ａとの間に形成された間隙Ｇへ誘導されて循環フィルタ１５０を通過する。したがって，上記ブレード１０８がない場合に比べて，循環フィルタ１５０を通過しない空気が減少して効果的な異物フィルタリングが可能である。
【００３６】
図４を参照すれば，上記突出した第１ブレード１０５，第２ブレード１０８，第３ブレード１１１の側面のうち少なくともディスク１１５の回転によって発生するエアフローに対面する側面１０６，１０９，１１２は，上記エアフローをディスク１５の表面方向に誘導するように斜めに傾いている。したがって，上記第１ブレード１０５，第２ブレード１０８，第３ブレード１１１によってディスク１１５の外周部側にポンピングされるエアフローは，上記第１ブレード１０５，第２ブレード１０８，第３ブレード１１１に遮られて渦流を形成せずに，さらに円滑にディスク１１５の外周部側に誘導されうる。
【００３７】
（第２実施形態）
図５は，本発明の第２実施形態にかかるＨＤＤのカバー部材を示す底面図であって，本発明の第１実施形態の図３に対応する図面である。本発明の第２実施形態によるＨＤＤは，図５に示されたカバー部材２０３以外には，図２に示された本発明の第１実施形態と同じ構成要素を備えるので，以下，上記同じ構成要素については，図２に表された図面符号をそのまま表示する。また，以下では，上記本発明の第１実施形態と異なる点を中心に説明する。
【００３８】
図５を参照すれば，本発明の第２実施形態にかかるＨＤＤのカバー部材２０３に形成された第１ブレード２０５，第２ブレード２０８，第３ブレード２１１も，カバー部材２０３のディスク１１５の対向面である内側面からディスク１１５側に突設され，アクチュエータ１３０の動作が妨害されないようにアクチュエータ動作範囲２０４を除外した領域に形成される。
【００３９】
上記第１ブレード２０５において，ディスク１１５の回転中心部に隣接した一側端部２０５ａとディスク１１５の外周部に隣接した他側端部２０５ｂとを連結する仮想の直線Ｌ１’は，ディスク１１５の中心部から半径方向に延びた仮想の直線Ｌ２’に対して，ディスクの回転方向Ｄに所定角度α２に傾いて形成され，このような特性は，第２及び第３ブレード２０８，２１１においても同様である。
【００４０】
しかし，図３に示された第１実施形態の場合と逆に，第１ブレード２０５，第２ブレード２０８，第３ブレード２１１は，ディスク１１５の回転中心部に隣接した一側端部２０５ａ，２０８ａ，２１１ａからディスク１１５の外周部に隣接した他側端部２０５ｂ，２０８ｂ，２１１ｂへ行くほどディスクの回転方向Ｄと逆方向に傾いた螺旋形に形成されている。上記第１ブレード２０５，第２ブレード２０８，第３ブレード２１１は，その螺旋方向が第１実施形態の場合と逆方向に形成されているが，ディスク１１５の回転速度が現在の常用レベルである７２００ｒｐｍほどでは，第１ブレード２０５，第２ブレード２０８，第３ブレード２１１の螺旋方向がディスクの回転方向Ｄと逆に形成されているにも拘わらず，エアフローに渦流が形成するなどの否定的な効果がほとんど観測されず，図３に示された第１実施形態の場合と同様に，ディスク１１５の外周部の圧力が高まってディスクフラッタリングが減少する効果がある。
【００４１】
しかし，ディスク１１５の回転速度がさらに速くなれば，渦流が発生して，図３に示された第１実施形態の場合に比べて，振動の減少が劣る可能性もある。
【００４２】
また，第１実施形態の場合と同様に，第２実施形態においても，循環フィルタ２５０の前に第２ブレード２０８の端部２０８ｂが位置し，エアフローを第２ブレード２０８の上記端部２０８ｂとカバー部材のフランジ２０３ａとの間に形成された間隙Ｇ’に誘導して，効果的な異物フィルタリングを可能にする。
【００４３】
一方，図３及び図５に示されたように，本発明の第１及び第２実施形態において，第１ブレード１０５，２０５は，ディスク１１５の回転によってディスクの回転方向Ｄと同じ方向に回転するエアフローがアクチュエータ１３０にぶつかって，アクチュエータ１３０に振動を発生させることを抑制するために，上記アクチュエータ１３０の前に位置する。これにより，上記第１ブレード１０５，２０５は，アクチュエータ１３０の磁気ヘッド１４５と，スライダー１４０，及びＨＧＡ１３８に向かうエアフローを遮断することによって，ＨＤＤ作動時にアクチュエータ１３０の振動が減少する。
【００４４】
図６及び図７は，図１に示されたような従来のＨＤＤと，前述した本発明の第１及び第２実施形態にかかるＨＤＤと，を作動させた時を比較したグラフであって，図６は，磁気ヘッドに加えられる力を表すものであり，図７は，ＨＧＡに加えられる力を表すものである。実験に使われたＨＤＤは，ディスクの上面及び下面に全てデータを記録し，これからデータを再生できるように，磁気ヘッド，スライダー，ＨＧＡ，及びアームを一対備える，いわば’２チャンネルタイプ’のＨＤＤであり，常温，１ａｔｍで実験を進め，ディスクの回転速度は，７２００ｒｐｍであった。
【００４５】
図６のグラフを参照すれば，ディスクの回転が発生させたエアフローによって，磁気ヘッドに加えられる力が，従来の場合に比べて第１及び第２実施形態で何れも減少し，特にカバー部材にさらに近い上部磁気ヘッドに加えられる力がさらに大きく減少したことが分かる。上記第１及び第２実施形態の中では，第１実施形態の場合がさらに減少した。図７のグラフを参照すれば，ディスクの回転が発生させたエアフローによって，ＨＧＡに加えられる力も，従来の場合に比べて第１及び第２実施形態で何れも減少したことが分かる。このような実験結果から，各実施形態のＨＤＤは，従来のＨＤＤに比べてアクチュエータに加えられる力が減少して，アクチュエータの振動が減少し，これにより，ＰＥＳ（Ｐｏｓｉｔｉｏｎ  Ｅｒｒｏｒ  Ｓｉｇｎａｌ）特性及び記録／再生エラー特性が向上することが容易に分かる。
【００４６】
以上に説明したように，上記各実施形態によれば，ブレードがアクチュエータへのエアフローを遮断してアクチュエータの振動が減少しうる。このような振動の減少効果によって，ＰＥＳ特性及びデータの記録／再生エラー特性が向上し，ノイズが減少し，これにより，ＨＤＤ性能の信頼性が向上しうる。
【００４７】
また，上記各実施形態によれば，ブレードがエアフローを循環フィルタに誘導して，異物フィルタリング能力が向上する。
【００４８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００４９】
例えば，上記カバー部材ではないベース部材にブレードが備えられることもあり，カバー部材及びベース部材に何れもブレードが備えられることもある。また，上記ブレードは，アクチュエータの動作を妨害しない限度で，等角度間隔でほぼ同一形態の複数個が備えられることもある。したがって，本発明の真の保護範囲は，特許請求の範囲によって決定されねばならない。
【産業上の利用可能性】
【００５０】
本発明は，作動時の振動を減らすための振動低減手段が備えられたＨＤＤに適用可能である。
【図面の簡単な説明】
【００５１】
【図１】従来のＨＤＤの一例を示す斜視図である。
【図２】本発明の第１実施形態にかかるＨＤＤの斜視図である。
【図３】図２に示されたカバー部材の底面図である。
【図４】図３に示されたブレードの縦断面図である。
【図５】本発明の第２実施形態にかかるＨＤＤのカバー部材を示す底面図である。
【図６】従来及び本発明の各実施形態にかかるＨＤＤの作動時，磁気ヘッドに加えられる力を比較して表すグラフである。
【図７】従来及び本発明の各実施形態にかかるＨＤＤの作動時，ＨＧＡに加えられる力を比較して表すグラフである。
【符号の説明】
【００５２】
１００          ＨＤＤ
１０１          ハウジング
１０２          ベース部材
１０３          カバー部材
１０４          アクチュエータの動作範囲
１０５，２０５  第１ブレード
１０８，２０８  第２ブレード
１１１，２１１  第３ブレード
１１５        ディスク
１２０        スピンドルモータ
１３０        アクチュエータ
１３２        ピボット軸受
１３５        ＶＣＭ
１３７        アーム
１４０        スライダー
１４５        磁気ヘッド
１５０        循環フィルタ
【図１】
2005235376.tif 000003
【図２】
2005235376.tif 000004
【図３】
2005235376.tif 000005
【図４】
2005235376.tif 000006
【図５】
2005235376.tif 000007
【図６】
2005235376.tif 000008
【図７】
2005235376.tif 000009